(57)【要約】【課題】ＴＮ型とＳＴＮ型液晶ディスプレイの反応時間を減少するドライブ方法の提供。【解決手段】ＴＮ型とＳＴＮ型液晶ディスプレイの反応時間を減少するドライブ方法の一種は、赤緑青の三原色を入力するデータバス後方を経過する動態画面の判断システムが、異なる動態画面データに対し、弾性的に各データバスの更新時間内に、当初の出力ポテンシャルより高い、或いは低い、定められたN回のオーバードライブ補償ポテンシャルを与える。これにより、さらに短い時間内に液晶を回転させ、我々が希望する目標輝度を達成し、ＴＮ型とＳＴＮ型等パッシブマトリックス型ＬＣＤの反応時間が遅過ぎて、移動映像のブレが生じる問題を大幅に改善するものである。【選択図】図６
2008197163.tif 000002
【特許請求の範囲】
【請求項１】
オーバードライブの操作原理を利用し、赤緑青三原色を入力するデータバス後方の動態画面判断システムを経て、現在のデータと１つ前の画面データが異なるだけで、プログレッシブスキャン回路を通して、弾性的に各データバスの更新時間内に、定められたN回の元の出力ポテンシャルと比べさらに高い、或いはさらに低いオーバードライブ補償ポテンシャルを与える、且つそのNは２より大きいか等しく、８より小さいか等しい、正の整数とすることを特徴とするＴＮ型とＳＴＮ型液晶ディスプレイの反応時間を減少するドライブ方法。
【請求項２】
さらに、そのオーバードライブ補償ポテンシャルがルックアップテーブルを通し、オーバードライブ回路がルックアップテーブルの方式を利用して、互いに対応する異なる画面が定める異なるオーバードライブ補償ポテンシャルを送出し、そのオーバードライブ補償ポテンシャルの範囲を０より大きいか等しく、液晶駆動の最高電圧より小さいか等しいとすることを特徴とする請求項１記載のＴＮ型とＳＴＮ型液晶ディスプレイの反応時間を減少するドライブ方法。
【請求項３】
さらに、赤緑青の三原色データをＹＣｂＣｒデータに変換し、ビデオ圧縮標準によってサンプリングを圧縮することを特徴とする請求項１記載のＴＮ型とＳＴＮ型液晶ディスプレイの反応時間を減少するドライブ方法。
【請求項４】
当該圧縮サンプリングがＹ:Ｃｂ:Ｃｒ=４:２:０及びＹ:Ｃｂ:Ｃｒ=４:１:１の中の１つのサンプリング演算規則から選択されることを特徴とする請求項３記載のＴＮ型とＳＴＮ型液晶ディスプレイの反応時間を減少するドライブ方法。
【発明の詳細な説明】
【技術分野】
【０００１】
本発明のパッシブマトリックス型ＬＣＤの駆動技術の一種は、特にＴＮ型とＳＴＮ型パッシブマトリックス型ＬＣＤ上で、確実で効果的に液晶反応時間を短縮でき、動態画面のブレ（Ｂｌｕｒｒｉｎｇ）現象を改善できるものを指す。
【背景技術】
【０００２】
ＬＣＤの軽薄短小の特性、且つ従来のＣＲＴディスプレイに比べてより低い電力消耗により、近年来ＬＣＤがＣＲＴディスプレイに取って代わっている。
【０００３】
液晶平面ディスプレイを駆動表示方式に基づくと、パッシブマトリックス型（ＰＭ−ＬＣＤ）とアクティブマトリックス型（ＡＭ−ＬＣＤ）の２種に分けられる。ＰＭ−ＬＣＤの駆動方式は上下２つのガラスパネル上の１つのパネル上のＸ方向に透明ＩＴＯ （Ｉｎｄｉｕｍ  Ｔｉｎ  Ｏｘｉｄｅ）電極を設置し、もう１つのパネル上のＹ方向に透明ＩＴＯ電極を設置する。両パネルを貼り合わせた後（中間に液晶を充填する）、上下パネルは電極が交差する格子状部位、すなわち表示パネルの画素を形成する。画素の電位差は外部から提供される駆動電圧によりＸ、Ｙ両方向上の電極を制御し、駆動画素中の液晶の回転を達成する移を招く結果、キャパシタの変化を生じ、画面表示の一致性に影響を及ぼしている。
【０００４】
ＡＭ−ＬＣＤの駆動方式はパネル上の各画素の位置ポイント上にスイッチングパーツ（すなわち薄膜トランジスタ（ＴＦＴ））及び信号保存の補助コンデンサ（Ｃｓｔ）が設置され、各画素の駆動は画素上のエレメントで独立制御する。ＡＭ−ＬＣＤはＴＦＴをパネル上に置くため通常ＴＦＴ−ＬＣＤと呼ばれる。
【０００５】
図１に示すのは、パッシブマトリックス型ＬＣＤ （ｍ×ｎ）の構造図である。よく見かけるＴＮ型とＳＴＮ型はどちらもＰＭ−ＬＣＤ製品に属し、本体には液晶画素の操作を制御する、非線性エレメント（スイッチング素子のような）がないため、各画素１の形成は水平のコモン（Ｃｏｍｍｏｎ）電極２の走査線と垂直のセグメント（Ｓｅｇｍｅｎｔ）電極３の走査線の重なる区域である。ＰＭ−ＬＣＤの基本操作原理は液晶材料にかけられる電圧の実効値（Ｒｏｏｔ  Ｍｅａｎ  Ｓｑｕｒｅ  Ｖａｌｕｅ；ＲＭＳ）に対し生じる電光効果を利用する。液晶材料の反応時間は必ず駆動パルスのスキャンサイクルよりはるかに大きくなければならない。フレームレート（Ｆｒａｍｅ  Ｒａｔｅ）を６０Ｈｚとし、各水平スキャンライン（すなわちコモン電極２）ごとに選択される時間間隔を１６.６７ｍｓとすると、必要な液晶材料の反応時間は一般に２００ｍｓとなり、これは液晶の実効値（ＲＭＳ）に対する反応の必要条件である。
【０００６】
しかし、従来の振幅選択駆動（Ａｌｔ＆Ｐｌｅｓｈｋｏ  Ｔｈｅｏｒｙ；ＡＰＴ）方式は、動態画面を表示する時、液晶材料の反応時間が遅すぎると、移動画面の残像現象をもたらし、急速に反応する液晶材料を使用すると、画面のひどいちらつき（Ｆｌｉｃｋｅｒ）現象が起こると同時に画面のコントラストが大幅に低下する。
【０００７】
図２は一般のオーバードライブ（Ｏｖｅｒ−Ｄｒｉｖｉｎｇ）回路のルックアップテーブルのブロック図を示す。前記の問題に対し、一般的な解決方法では、異なる画面に対し、定められた異なるオーバードライブ電圧Ｖ’の値を与える。やり方は画面判断回路１０を利用し、新たに入ってきたカレントフィールド（Ｃｕｒｒｅｎｔ  Ｆｉｅｌｄ）と事前に駆動装置内部（或いは外部）の保存装置１１に保存されたその１つ前のフレームデータ（Ｐｒｅｖｉｏｕｓ  Ｆｉｅｌｄ）が、比較装置１２を経過して相互に比較され、異なる表示であれば動態画面である。一般的には動態画面のデータに対し、ルックアップテーブル（ＬＵＴ）回路１３を通り、対照表の方式を利用して検査した後、互いに対応するオーバードライブの出力電圧値を送出する。これがすなわちオーバードライブ（Ｏｖｅｒ−Ｄｒｉｖｉｎｇ）回路の操作原理である。
【０００８】
ルックアップテーブル（ＬＵＴ）は索引のアレイを新しいオーバードライブ電圧Ｖ’値表として使用し、いくつかの非線性及び複雑な演算を整合し常数で概括させて、全演算過程中、複雑な計算を省略し、実質的な映像処理効率を高める。そして送出された出力電圧値は直ちに対応するセグメント電極３の正確な出力オーバードライブ電圧Ｖ’を出すことができる。このように従来のパッシブマトリックス型ＬＣＤ（ＴＮ型とＳＴＮ型）に用いる駆動方法を振幅選択駆動（ＡＰＴ）の反応時間とし、効果的に短縮することができ、動態画面放映中の残像現象が低下する。
【０００９】
パッシブマトリックス型ＬＣＤ（ＴＮ型とＳＴＮ型）はパッシブ型構造であり、各画素内にまたスイッチング素子がなく、液晶保存コンデンサ充電後の電荷をロックすることができないため、セグメント電極が電圧を出力した後、液晶コンデンサ内の電荷は漂遊容量（Ｃｇｄ）或いはその充電経路を経て漏電する。そのため液晶コンデンサは固定レベルを維持することができず、そのためセグメント電極が１フレーム時間充電された後、液晶画素コンデンサの本当の有効ポテンシャルはセグメント電極の出力と比べ非常に小さく、動態画面を表示する周辺にブレ（Ｂｌｕｒｒｉｎｇ）現象をもたらす。
【発明の開示】
【発明が解決しようとする課題】
【００１０】
上記の欠点を解決し、欠点の存在を防ぐため、本発明はＴＮ型とＳＴＮ型等パッシブマトリックス型ＬＣＤの振幅選択駆動（ＡＰＴ）に対し、オーバードライブ（Ｏｖｅｒ  ｄｒｉｖｉｎｇ）補償法と高周波更新率の概念を利用し、ＴＮ型とＳＴＮ型等パッシブマトリックス型ＬＣＤに応用する。これにより、効果的に反応時間を短縮し、確実に動態画面のブレ（Ｂｌｕｒｒｉｎｇ）現象を改善する。
【００１１】
上記の目的を達成するため、本発明はオーバードライブの操作原理を利用し、赤緑青（ＲＧＢ）三原色を入力するデータバス後方を経過する動態画面の判断システムは、現在のデータと１つ前の画面データが異なるだけで、出力プログレッシブスキャン回路を通して、弾性的に各データバスの更新時間（ｒｅｆｒｅｓｈ  ｔｉｍｅ）内に定められたN回、当初の出力ポテンシャルと比べてさらに高い、或いはさらに低いオーバードライブ（ＯＶ）補償ポテンシャルを与える。且つそのNは２より大きいか等しく、８より小さいか等しい、正の整数（２≦Ｎ≦８）とする。一般状況下では、１フレーム（FrＡＭe）時間内に一回だけデータ電圧を液晶コンデンサに対し充電する。パッシブマトリックス型ＬＣＤ （ＴＮ型とＳＴＮ型）は各画素内にスイッチング素子がないため、液晶コンデンサ内の電荷は漂遊容量（Ｃｇｄ）或いはその充電経路を経て漏電する。そのため１フレーム時間後、液晶コンデンサ上の電圧は入力データバスが予期する電圧レベルを達成するには不足する。我々は１フレーム（ｆｒａｍｅ）時間内にN回重複出力し（すなわち１フレーム時間内に画素コンデンサに対しＮ回充電する）、またさらに高い、或いはさらに低いオーバードライブ補償電圧を与える。それゆえ、より短い時間内に液晶を回転させ、我々が希望する目標輝度を達成することができ、ＴＮ型とＳＴＮ型等パッシブマトリックス型ＬＣＤの反応時間が遅すぎて移動映像のブレ（Ｂｌｕｒｒｉｎｇ）を起こす問題を大幅に改善することができる。
【００１２】
そして、その補償ポテンシャルＶ’は当初の出力ポテンシャルVがルックアップテーブル（ＬＵＴ）を経て対応した値で、互いに対応するオーバードライブの出力電圧値を送出し、その電圧範囲は０≦Ｖ’≦液晶駆動の最高電圧とする。
【００１３】
このほか、我々は映像データの三原色ＲＧＢデータをＹＣｂＣｒデータに変換することができ、ビデオ圧縮標準に基づきサンプリングを圧縮し結合する。その中で、そのサンプリングの圧縮はＹ:Ｃｂ:Ｃｒ=４:２:０及びＹ:Ｃｂ:Ｃｒ=４:１:１の中のサンプリング演算規則から選択され、これにより、半分の保存データ量を効果的に下げることができる。
【課題を解決するための手段】
【００１４】
請求項１の発明は、オーバードライブの操作原理を利用し、赤緑青三原色を入力するデータバス後方の動態画面判断システムを経て、現在のデータと１つ前の画面データが異なるだけで、プログレッシブスキャン回路を通して、弾性的に各データバスの更新時間内に、定められたN回の元の出力ポテンシャルと比べさらに高い、或いはさらに低いオーバードライブ補償ポテンシャルを与える、且つそのNは２より大きいか等しく、８より小さいか等しい、正の整数とすることを特徴とするＴＮ型とＳＴＮ型液晶ディスプレイの反応時間を減少するドライブ方法としている。
請求項２の発明は、さらに、そのオーバードライブ補償ポテンシャルがルックアップテーブルを通し、オーバードライブ回路がルックアップテーブルの方式を利用して、互いに対応する異なる画面が定める異なるオーバードライブ補償ポテンシャルを送出し、そのオーバードライブ補償ポテンシャルの範囲を０より大きいか等しく、液晶駆動の最高電圧より小さいか等しいとすることを特徴とする請求項１記載のＴＮ型とＳＴＮ型液晶ディスプレイの反応時間を減少するドライブ方法としている。
請求項３の発明は、さらに、赤緑青の三原色データをＹＣｂＣｒデータに変換し、ビデオ圧縮標準によってサンプリングを圧縮することを特徴とする請求項１記載のＴＮ型とＳＴＮ型液晶ディスプレイの反応時間を減少するドライブ方法としている。
請求項４の発明は、当該圧縮サンプリングがＹ:Ｃｂ:Ｃｒ=４:２:０及びＹ:Ｃｂ:Ｃｒ=４:１:１の中の１つのサンプリング演算規則から選択されることを特徴とする請求項３記載のＴＮ型とＳＴＮ型液晶ディスプレイの反応時間を減少するドライブ方法としている。
【発明の効果】
【００１５】
本発明はＴＮ型とＳＴＮ型等パッシブマトリックス型ＬＣＤの振幅選択駆動（ＡＰＴ）に対し、オーバードライブ（Ｏｖｅｒ  ｄｒｉｖｉｎg）補償法と高周波更新率の概念を利用し、ＴＮ型とＳＴＮ型等パッシブマトリックス型ＬＣＤに応用する。これにより、効果的に反応時間を短縮し、確実に動態画面のブレ（Ｂｌｕｒｒｉｎｇ）現象を改善する。
【発明を実施するための最良の形態】
【００１６】
ＴＮ型とＳＴＮ型等パッシブマトリックス型ＬＣＤが用いる駆動法は、駆動装置のセグメント（Ｓｅｇｍｅｎｔ）が、各フレーム（FrＡＭe）に入力するデジタル赤緑青（ＲＧＢ）三原色データの違いを根拠に、異なる出力グレースケール電圧（光学上対応するのは某グレースケールの輝度）への転換による。ＴＮ型とＳＴＮ型は白黒二種だけの状態であるため、グレースケールの発生は１スキャンライン（１  ｌｉｎｅ）時間内のパルス幅変調（Ｐｕｌｓｅ  Ｗｉｄｔｈ  Ｍｏｄｕｌａｔｉｏｎ; ＰＷＭ）方式で区別する。図３に示すのは、セグメント電極信号ＳＥＧが１スキャンフレーム（Ｆｒａｍｅ）の時間内に出力する波形図である。１フレーム時間内にm本のスキャンライン（ｍ×ｎマトリックス型ＬＣＤ）があると仮定すると、１リード／ライト（WR）サイクルは１スキャンラインの時間（１  ｌｉｎｅ  ｔｉｍｅ）を表し、図３からわかるように、セグメント電極信号ＳＥＧはデータ中の異なる出力グレースケール電圧に基づき、異なるパルス幅変調波形を出力する。
【００１７】
図４に示すのは、１スキャンラインの充電時間を１６等分に分割すると仮定した時、セグメント電極信号ＳＥＧ０の某ライン時間内に全黒の占める等分が６／１６で、次のラインでは１２／１６である。そして、セグメント電極信号ＳＥＧ１のこのライン時間内に全黒の占める等分が１３／１６で、次のラインは１０／１６である。
【００１８】
但し、パッシブマトリックス型ＬＣＤ（ＴＮ型とＳＴＮ型）は一種パッシブ式構造であるため、各画素内にはまたスイッチング素子がなく、そのため、セグメント電極が電圧を出力した後、液晶コンデンサ内の電荷は漂遊容量（Ｃｇｄ）或いはその充電経路を経て漏電する。そのため液晶コンデンサは固定レベルを維持することができず、セグメント電極が１フレーム時間充電した後、液晶画素コンデンサでの真の有効ポテンシャルはセグメント電極の出力と比べ非常に小さい。
【００１９】
図５に示すのは、１画素内の液晶のイニシャル輝度から目標輝度への位置図である。セグメント電極は多くのフレーム時間を経た充電の後、画素内の液晶がイニシャル輝度から目標輝度への有効電圧Ｖｅｆｆにようやく到達する。そのためＴＮ型とＳＴＮ型等パッシブマトリックス型ＬＣＤの反応時間がこのように遅い。図５中に示すのは、第１フレーム時間のセグメント電極対、液晶コンデンサ内の充電電圧をV１とした時、漂遊容量或いはその充電経路を経て漏電(d１)するため、最後に第１フレーム時間のセグメント電極対、液晶コンデンサの有効電圧をＶ１−ｄ１＝Ｖｅｆｆ１とする；これで類推すると、第２フレーム時間のセグメント電極対、液晶コンデンサの有効電圧もＶ１−ｄ１＝Ｖｅｆｆ２となる。セグメント電極を経て１２回等しい電圧が送出された後、やっと目標輝度に到達すると仮定すると、ＬＣＤの反応時間は各フレームの時間１６.６７ｍｓ×１２、２００ｍｓに近くになる。
【００２０】
図６に示すのは、本発明のオーバードライブ回路のブロック図である。一般のオーバードライブ（Ｏｖｅｒ−Ｄｒｉｖｉｎｇ）と同じで、異なる画面に対し定められた一定の異なるオーバードライブ電圧Ｖ’の値は、画面判断回路２０を利用し、新たに入るカレントフィールドデータ（Ｃｕｒｒｅｎｔ Field）と事前に駆動装置内部（或いは外部）に設置された保存装置２１に保存された、１つ前のフレームデータ（Ｐｒｅｖｉｏｕｓ  Ｆｉｅｌｄ）を、比較装置２２を経て相互に比較し、異なる表示であれば動態画面とする。一般的には動態画面のデータに対し、ルックアップテーブル（ＬＵＴ）回路２３を通し、対照表の方式を利用して検査した後、互いに対応するオーバードライブ電圧Ｖ’の値を送出する。
【００２１】
本発明はオーバードライブの操作原理を利用し、赤緑青（ＲＧＢ）三原色を入力するデータバス後方で動態画面を判断する比較装置２２を経過させ、現在のデータと１つ前の画面データが異なることを発見するだけで、そのルックアップテーブル（ＬＵＴ）回路２３の後に位置する出力プログレッシブスキャン回路２４を通って、弾性的に各データバスの更新時間（ｒｅｆｒｅｓｈ  ｔｉｍｅ）内に、定められたＮ回、元の出力ポテンシャルＶと比べてさらに高い、或いはさらに低いオーバードライブ補償ポテンシャルＶ’を与える。且つそのＮを２より大きいか等しく、８より小さいか等しい、正の整数（２≦N≦８）とする。そしてその補償ポテンシャルＶ’は元の出力ポテンシャルVがルックアップテーブル（ＬＵＴ）を経た対応値で、互いに対応するオーバードライブの出力電圧値を送出する。その電圧範囲は０≦Ｖ’≦液晶起動の最高電圧とする。そのため駆動パーツのセグメント電極が表示パネルに書き込む周波数は赤緑青（ＲＧＢ）三原色を入力するデータバスの更新周波数のＮ倍である。
【００２２】
図７に示すのは、駆動パーツのセグメント電極がパネルに書き込む周波数を描写し、データバスに入力する更新周波数のＮ倍（６倍）と元の更新周波数の比較図である。右側に示すのは１画素内の液晶のイニシャルの０レベルから目標輝度までの電圧レベル（Ｔａｒｇｅｔ  Ｖｏｌｔａｇｅ）とし、セグメント電極は６フレーム時間の同じ出力電圧V１の送出を経る必要があり、その後ようやく目標輝度が達成できる。そのため反応時間は各フレーム（ｆｒａｍｅ）時間１６.６ｍｓ×６となり、１００ｍｓに近い。その中のd１は画素の漏電経路により引き下げられる電圧レベルである。そして図７の左側は、セグメント電極の元の出力ポテンシャルＶ１を１データ更新時間（すなわち１フレーム時間）内に、その出力プログレッシブスキャン回路２４を通して、その出力電圧Ｖ１を６回重複出力させることで、１フレーム時間内に液晶を回転させ、希望する目標輝度を達成させる。それにより反応時間を１フレーム時間＝１６.６ｍｓに短縮させることができる。
【００２３】
図８に示すのは、駆動パーツのセグメント電極がオーバードライブ電圧でパネルに書き込むのを描写し、且つ周波数がデータバスに入力する更新周波数のＮ倍（６倍）であることと、元の電圧の元の更新周波数との比較図である。図中の左側は、セグメント電極の出力電圧Ｖ１をオーバードライブ電圧Ｖ’に代替して、反応時間をさらに短縮し（反応時間を１フレーム時間以下にすることができる）、ＴＮ型とＳＴＮ型等パッシブマトリックス型ＬＣＤの反応時間が遅すぎるのを改善し、効果をさらに良くしている。
【００２４】
この方法により、セグメント電極の出力を元の出力ポテンシャルVと比べさらに大きい（或いはさらに小さい）有効電圧とするだけでなく、また１データ更新時間内に何回も重複出力させ、さらに短い時間内に液晶を回転させ、希望する目標輝度を達成させ、ＴＮ型とＳＴＮ型等パッシブマトリックス型ＬＣＤの反応時間が遅過ぎて移動映像のブレ（Ｂｌｕｒｒｉｎｇ）の問題を大幅に改善することができる。
【００２５】
図９に示すのは、オーバードライブ（Ｏｖｅｒ Ｄｒｉｖｉｎｇ）がセグメント電極レベル波形を補償する図であり（図４の出力レベル波形オーバードライブ）、オーバードライブ後のセグメント電極ＳＥＧ０の某ライン時間内の全黒の等分が全スキャンラインタイム（１  ｌｉｎｅ  ｔｉｍｅ）の１３／１６を占め、次のラインでは１４／１６である。そしてセグメント電極ＳＥＧ１の某ライン時間内での全黒の等分が１５／１６を占め、次のラインでは１２／１６である。
【００２６】
各データの更新時間内にセグメント電極ＳＥＧをＮ回オーバードライブ出力させ、画素内の液晶がさらに短い時間内に（１フレーム時間に近い）、１画素内の液晶をイニシャル位置から目標位置へ到達或いは接近させる有効電圧Ｖｅｆｆの目標輝度が得られることを補償する。それにより移動画面のブレ現象を大幅に改善することができる。且つＴＮ型とＳＴＮ型の基本駆動方法を振幅選択駆動（ＡＰＴ）とし、その操作原理は液晶材料が加えられる電圧の実効値（ＲＭＳ）に対し生じる電光効果を利用する。そのため本発明のオーバードライブ電圧補償法は実効値（ＲＭＳ）を経た後、ひどいチラツキ現象がない。
【００２７】
コスト節約上、元のオーバードライブ（Ｏｖｅｒ Ｄｒｉｖｉｎｇ）補償法は別途グラフィックメモリ（ＧＲＡＭ）を増加し、前の１画面のデータを保存し、現在入ってきた画面データとの比較に用いる必要がある。我々は映像データの三原色ＲＧＢデータをＹＣｂＣｒデータに変換し、ビデオ圧縮標準によってサンプリングを圧縮し結合することができる。図１０に示すのは、本発明のオーバードライブ回路のもう１つの実施例のブロック図である。そのため１つ前のフレームデータはまず第１変換ユニット２５を経て、その第１変換ユニット２５は、１つ前のフレームの三原色ＲＧＢの映像データを受け入れ、且つ三原色ＲＧＢデータをＹＣｂＣｒデータへ変換する。図１１に示すように、その中の圧縮サンプリングはＹ:Ｃｂ:Ｃｒ=４:２:０及びＹ:Ｃｂ:Ｃｒ=４:１:１の中の１つのサンプリング演算規則から選択される。さらに、ＹＣｂＣｒデータを駆動装置内部（或いは外部）の保存装置２１に保存する。そして第２変換ユニット２６はさらにＹＣｂＣｒデータを三原色ＲＧＢデータへ変換し、且つデータをその比較装置２２へ送る。Ｙが代表する意義は輝度（ｌｕｍｉｎａｎｃｅ）信号で、ＣｂとＣｒが代表する意義は色差信号であるため、人類の目に対する影響が最大なのはＹ成分である。サンプリング比例を通してサンプリング圧縮の後、さらにメモリ内に保存することで、駆動装置が必要とするメモリサイズが減少する。これにより、効果的に半分の保存データ量を減らすことができ、こうすると１つ前の画面と現在の画面の駆動補償処理を経た後のデータは、全て直接元の駆動装置内部のグラフィックメモリに一緒に保存することができ、別途グラフィックメモリは必要でない。
【図面の簡単な説明】
【００２８】
【図１】パッシブマトリックス型ＬＣＤ （ｍ×ｎ）の構造図である。
【図２】一般のオーバードライブ回路のルックアップテーブルのブロック図である。
【図３】セグメント電極信号（ＳＥＧ）が１スキャンフレーム（ｆｒａｍｅ）時間内に出力する波形の表示図である。
【図４】セグメント電極信号（ＳＥＧ）が１ライン時間で１６等分に分割された出力レベル波形の表示図である。
【図５】１画素内の液晶のイニシャル輝度から目標輝度への位置図である。
【図６】本発明のオーバードライブ回路のブロック図である。
【図７】駆動パーツのセグメント電極がパネルに書き込む周波数を描写し、データバスに入力する更新周波数のＮ倍（６倍）と、元の更新周波数の比較図である。
【図８】駆動パーツのセグメント電極がオーバードライブ電圧でパネルに書き込むのを描写し、且つ周波数がデータバスに入力する更新頻度のＮ倍（６倍）であることと、元の電圧の元の更新周波数の比較図である。
【図９】１ラインタイムが１６等分に分割され、オーバードライブがセグメント電極信号（ＳＥＧ）を補償する出力レベルの波形図である。
【図１０】本発明のオーバードライブ回路のもう一つの実施例のブロック図である。
【図１１】三原色ＲＧＢデータがＹＣｂＣｒ （４：２：０）を経て変換される図である。（摘要図：図６）
【符号の説明】
【００２９】
２  コモン（Ｃｏｍｍｏｎ）電極
３  セグメント（Ｓｅｇｍｅｎｔ）電極
１０、２０  画面判断回路
１１、２１  保存装置
１２、２２  比較装置
１３、２３  ルックアップテーブル（ＬＵＴ）回路
２４  出力プログレッシブスキャン回路
２５  第１変換ユニット
２６  第２変換ユニット
【図１】
2008197163.tif 000003
【図２】
2008197163.tif 000004
【図３】
2008197163.tif 000005
【図４】
2008197163.tif 000006
【図５】
2008197163.tif 000007
【図６】
2008197163.tif 000008
【図７】
2008197163.tif 000009
【図８】
2008197163.tif 000010
【図９】
2008197163.tif 000011
【図１０】
2008197163.tif 000012
【図１１】
2008197163.tif 000013